Podtech/llm-jp-corpus-v4-ja_patent huggingface dataset:
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
リアル・タイム・ビデオ・コールとしての広告を容易にするまたは作動させる装置実装システムであって、
プロセッサーであって、ユーザーと関連した移動体デバイスが前記プロセッサーの近傍にあるか否か検出し、前記移動体デバイスがリアル・タイム・ビデオ・コールとしての広告の受信を受け入れるか否か確認し、前記リアル・タイム・ビデオ・コールに関する少なくとも１つのユーザーの好みを判定するために前記移動体デバイスと交渉し、前記移動体デバイスの現在の利用に基づいて前記移動体デバイスにリアル・タイム・ビデオ・コールの広告を提供することができることを決定し、前記少なくとも１つのユーザーの好みと前記移動体デバイスの決定した前記現在の利用とに少なくとも部分的に基づいて、少なくとも１つのリアル・タイム・ビデオ・コールを前記移動体デバイスに広告主の代理店によって提供するように構成され、前記代理店は有名なパーソナリティーであり、前記リアル・タイム・ビデオ・コールと関連した前記広告は、前記パーソナリティーからの一人称の語りを提供するようにカスタム化された、プロセッサーと、
データーを保存するために前記プロセッサーに結合されたメモリーと、
を含む、システム。
【請求項２】
請求項１記載のシステムにおいて、前記リアル・タイム・ビデオ・コールは、前記少なくとも１つのユーザーの好みに少なくとも部分的に基づいて、カスタム化される、システム。
【請求項３】
請求項１記載のシステムにおいて、前記リアル・タイム・ビデオ・コールは、前記リアル・タイム・ビデオ・コールと関連した広告をダウンロードするためにユーザーが利用する折り返し電話番号を与える、システム。
【請求項４】
請求項１記載のシステムにおいて、前記移動体デバイスとの交渉は、前記リアル・タイム・ビデオ・コールに関する前記少なくとも１つのユーザーの好みを確認するために、ユーザーに特定の１つ以上のリストを利用することを更に含む、システム。
【請求項５】
請求項１記載のシステムにおいて、前記リアル・タイム・ビデオ・コールと関連した広告は、前記有名なパーソナリティーが前記少なくとも１つのユーザーの好みによって示されるようにカスタム化される、システム。
【請求項６】
請求項１記載のシステムであって、前記移動体でデバイスとの前記交渉は、前記リアル・タイム・ビデオ・コールに関する前記少なくとも１つのユーザーの好みを確認するために、前記移動体デバイスと関連したサーチ・エンジンから得られる１つ以上のサーチ・タームを利用することを更に含む、システム。
【請求項７】
リアル・タイム・ビデオ・コールとして広告する方法を実行するための装置実行可能命令を格納した装置読み取り可能記憶媒体であって、前記方法が、
ユーザーと関連した移動体デバイスが小売店に近接しているか否か検出し、
前記移動体デバイスがリアル・タイム・ビデオ・コールとしての広告の前記小売店からの受信を受け入れるか否か確認し、
前記リアル・タイム・ビデオ・コールに関する少なくとも１つのユーザーの好みを判定するために前記移動体デバイスと交渉し、
前記移動体デバイスの音声機能が現在利用されているかどうかに基づいて、前記移動体デバイスに提供する広告の形態を決定するステップであって、
前記音声機能が現在利用されているとき、テキスト・メッセージが前記移動体デバイスに提供され、前記テキスト・メッセージが、個人毎の広告へのリンクおよび視覚的広告へのリンクのうち１つ以上を含み、
前記音声機能が現在利用されていないとき、前記少なくとも１つのユーザーの好みに少なくとも部分的に基づいて、前記リアル・タイム・ビデオ・コールとして広告を提供し、前記リアル・タイム・ビデオ・コールが、有名なパーソナリティーをエミュレートし一人称の語りを提供する前記小売店の販売代理店を含む、
ステップと、
を含む、装置読み取り可能記憶媒体。
【請求項８】
請求項７記載の装置読み取り可能記憶媒体において、前記リアル・タイム・ビデオ・コールが、前記少なくとも１つのユーザーの好みに少なくとも部分的に基づいてカスタム化される、装置読み取り可能記憶媒体。
【請求項９】
請求項７記載の装置読み取り可能記憶媒体において、 前記リアル・タイム・ビデオ・コールは、前記リアル・タイム・ビデオ・コールと関連した広告をダウンロードするためにユーザーが利用する折り返し電話番号を与える、装置読み取り可能記憶媒体。
【請求項１０】
請求項７記載の装置読み取り可能記憶媒体において、前記交渉は、前記リアル・タイム・ビデオ・コールに関する前記少なくとも１つのユーザーの好みを確認するために、ユーザーに特定の１つ以上のリストを利用することを更に含む、装置読み取り可能記憶媒体。
【請求項１１】
請求項７記載の装置読み取り可能記憶媒体において、前記リアル・タイム・ビデオ・コールと関連した広告は、前記有名なパーソナリティーが前記少なくとも１つのユーザーの好みによって示されるようにカスタム化される、装置読み取り可能記憶媒体。
【請求項１２】
請求項７記載の装置読み取り可能記憶媒体であって、前記交渉は、前記リアル・タイム・ビデオ・コールに関する前記少なくとも１つのユーザーの好みを確認するために、前記移動体デバイスと関連したサーチ・エンジンから得られる１つ以上のサーチ・タームを利用することを更に含む、装置読み取り可能記憶媒体。
【請求項１３】
リアル・タイム・ビデオ・コールとしての広告を作動させるシステムであって、
ユーザーと関連した移動体デバイスが売り場の近傍にあるか否か検出し、前記移動体デバイスがリアル・タイム・ビデオ・コールとしての広告の受信を受け入れるか否か判定し、前記リアル・タイム・ビデオ・コールに関する少なくとも１つのユーザーの好みを判定するために前記移動体デバイスと交渉し、前記少なくとも１つのユーザーの好みに少なくとも部分的に基づいて、前記売り場の代理店によってユーザーに生の販売ピッチを与えるために、前記ユーザーと前記代理店との間に前記リアル・タイム・ビデオ・コールを作るための命令を保持するメモリーであって、前記生の販売ピッチが、音声合成によって前記代理店により配信され、前記代理店が有名なパーソナリティーをエミュレートする、メモリーと、
前記メモリーに結合され、前記メモリー内に保持された命令を実行するプロセッサーと、
を含む、システム。
【請求項１４】
請求項１３記載のシステムにおいて、前記リアル・タイム・ビデオ・コールが、前記少なくとも１つのユーザーの好みに少なくとも部分的に基づいてカスタム化される、システム。
【請求項１５】
請求項１３記載のシステムにおいて、前記メモリーが、更に、前記リアル・タイム・ビデオ・コールに関する前記少なくとも１つのユーザーの好みを確認するために、ユーザーに特定の１つ以上のリストを利用するための命令も保持する、システム。
【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
場所固有のユーザー・コンテキストを推定するシステムであって、
ユーザーに関するユーザー・データを記憶するメモリー領域であって、前記ユーザー・データはユーザー活動とユーザー通信との中の１又は複数を記述する、メモリー領域と、
プロセッサーであって、
前記メモリー領域に記憶されている前記ユーザー・データの分析を実行し、１又は複数の場所に対応する１又は複数の場所キーワードを識別するステップと、
前記識別された場所キーワードに対応する場所に関する場所データを取得するステップと、
前記取得された場所データに基づいて１又は複数のタグを作成するステップと、
前記ユーザーと前記識別された場所キーワードと前記作成されたタグとの間で、１又は複数の関連を定義するステップと、
前記定義された関連を前記場所に関するユーザー・コンテキストとしてメモリー領域に記憶するステップと、
前記ユーザー・データを分析することによって前記定義された関連についての時間的な計量を生成するステップと、
を実行するようにプログラムされているプロセッサーと、
を備えているシステム。
【請求項２】
請求項１記載のシステムにおいて、前記場所キーワードは位置の名前と人々の名前との中の１又は複数を含む、システム。
【請求項３】
請求項１記載のシステムにおいて、前記ユーザー活動は、カレンダー・エントリーと、タスク・エントリーと、トゥドゥー・リストと、ショッピング・リストとの中の１又は複数を含む、システム。
【請求項４】
請求項１記載のシステムにおいて、前記ユーザー通信は、電子メール・メッセージと、インスタント・メッセージと、テキスト・メッセージと、ブログ・ポスティングと、マイクロブログ・ポスティングと、ウェブ・サイト・ポスティングと、ボイス電話コールと、ビデオ電話コールとの中の１又は複数を含む、システム。
【請求項５】
請求項１記載のシステムであって、
前記ユーザーと前記場所とに関連するデータをマイニングする手段と、
前記場所データを取得する手段と、
を更に備えているシステム。
【請求項６】
ユーザーに関するユーザー・データを１又は複数のコンピューティング・デバイスから受け取るステップであって、前記受け取られたユーザー・データは、ユーザー活動とユーザー通信との中の１又は複数を記述している、ステップと、
プロセッサーによって、前記受け取られたユーザー・データを分析して、前記受け取られたユーザー・データと関連しており１又は複数の場所に対応する１又は複数の場所キーワードを識別するステップと、
前記識別された場所キーワードに対応する場所に関する場所データを取得するステップと、
前記プロセッサーによって、前記ユーザーと前記識別された場所キーワードと前記取得された場所データとの間で１又は複数の関連を定義するステップと、
前記プロセッサーによって、前記定義された関連を前記場所に関するユーザー・コンテキストとしてメモリー領域に記憶するステップと、
前記プロセッサーによって、前記受け取られたユーザー・データを分析することによって前記定義された関連についての時間的な計量を生成するステップと、
を含む方法。
【請求項７】
請求項６記載の方法において、
前記記憶された関連に基づいて少なくとも１つのサービスを選択するステップと、
前記場所の中の１又は複数において、前記選択されたサービスを前記ユーザーに提供するステップと、
更に含む方法。
【請求項８】
請求項６記載の方法において、
前記取得された場所データに基づいて１又は複数のタグを作成するステップと、
前記作成されたタグを前記記憶された関連と共に前記メモリー領域に記憶するステップと、
を更に含む方法。
【請求項９】
請求項８記載の方法において、
前記ユーザーの現在の場所を決定するステップと、
前記決定された現在の場所に基づいて前記作成されたタグの中から少なくとも１つを選択するステップと、
前記選択されたタグに基づいてユーザー・インターフェースを前記ユーザーに提示するステップと、
を更に含む方法。
【請求項１０】
請求項６記載の方法において、
前記ユーザーの現在場所を検出するステップと、
前記検出された場所と前記場所キーワードとを比較するステップと、
前記比較に基づいて前記関連の中から少なくとも１つを選択するステップと、
前記選択された関連に対応する場所データの少なくとも一部を前記ユーザーに与えるステップと、
を更に含む方法。
【請求項１１】
請求項６記載の方法において、前記取得された場所データと前記生成された時間的な計量とに基づいて関心点を定義するステップを更に含む方法。
【請求項１２】
請求項１１記載の方法において、前記生成された時間的な計量に基づいて定義された関心点を修正するステップを更に含む方法。
【請求項１３】
請求項６記載の方法において、前記生成された時間的な計量は、前記場所において経過した時間と、アトラクションの待ち時間と、レストランの待ち時間と、前記場所への訪問の頻度との中の１又は複数を含む、方法。
【請求項１４】
請求項６記載の方法において、１又は複数のコンピューター可読媒体がコンピューター実行可能なコンポーネントを有しており、前記コンポーネントは、
少なくとも１つのプロセッサーによって実行されると、前記少なくとも１つのプロセッサーに、複数のユーザーに関するユーザー・データを１又は複数のコンピューティング・デバイスから受け取らせる収集コンポーネントであって、前記受け取られたユーザー・データはユーザー活動とユーザー通信との中の１又は複数を記述している、収集コンポーネントと、
少なくとも１つのプロセッサーによって実行されると、前記少なくとも１つのプロセッサーに、前記収集コンポーネントによって受け取られた前記ユーザー・データと関連する１又は複数の場所キーワードを識別させるパーザー・コンポーネントであって、前記場所キーワードは１又は複数の場所に対応している、パーザー・コンポーネントと、
少なくとも１つのプロセッサーによって実行されると、前記少なくとも１つのプロセッサーに、前記パーザー・コンポーネントによって識別された前記場所キーワードに対応する場所に関する場所データを取得させるマイニング・コンポーネントと、
少なくとも１つのプロセッサーによって実行されると、前記少なくとも１つのプロセッサーに、前記マイニング・コンポーネントによって取得された前記場所データと前記パーザー・コンポーネントによって識別された前記場所キーワードとを前記複数のユーザーと関連付けさせて前記場所に関するユーザー・コンテキストを定義させるメモリー・コンポーネントと、
少なくとも１つのプロセッサーによって実行されると、前記少なくとも１つのプロセッサーに、前記メモリー・コンポーネントによって定義された前記ユーザー・コンテキストを解析させて前記複数のユーザーに関する関心点を識別させるクラウド・コンポーネントと、
を含む、方法。
【手続補正書】
【提出日】平成25年6月14日(2013.6.14)
【手続補正１】
【補正対象書類名】特許請求の範囲
【補正対象項目名】全文
【補正方法】変更
【補正の内容】
【特許請求の範囲】
【請求項１】
表面プラズモン共鳴装置から生成されるセンサグラムでのノイズの線形フィルタリングのための方法であって、
前記センサグラムでの出力信号をフィルタリングするために、可変長の線形フィルタを用意するステップと、
前記センサグラムでのノイズを低減するために、前記センサグラムでの前記信号の傾き、および、前記装置での屈折率の測定の際の、事象の発生の複数のタイミングに基づいて、前記線形フィルタの最適な長さを決定するステップと、
を含む、方法。
【請求項２】
提供される前記線形フィルタが、対称有限インパルス応答フィルタまたは可変長対称移動平均フィルタを備える、請求項１に記載の方法。
【請求項３】
前記信号での変動が減少したとき、より長いフィルタ長をさらに決定する、請求項１に記載の方法。
【請求項４】
前記信号での変動が増大したとき、より短いフィルタ長をさらに決定する、請求項１に記載の方法。
【請求項５】
前記事象が、生化学的プロセスでの反応物の会合および解離の開始を示す、請求項１に記載の方法。
【請求項６】
前記事象が、
前記表面プラズモン共鳴装置での複数のバルブの開動作および閉動作、前記装置での前記バルブ間の複数の距離、および前記装置での複数のトランスデューサ間の複数の距離のうちの１つ以上、または
前記装置での流量
を含む、請求項５に記載の方法。
【請求項７】
前記線形フィルタの最適な長さを決定するステップが、
前記装置での表面プラズモン共鳴の測定の際の、事象の発生の複数のタイミングに基づいて、第１のフィルタ長を決定するステップと、
前記複数の事象間の前記信号の傾きに基づいて、第２のフィルタ長を決定するステップと、
前記第１のフィルタ長と前記第２のフィルタ長とを比較するステップと、
前記第１のフィルタ長と前記第２のフィルタ長との間で、より短い長さを選択するステップと
を含む、請求項１に記載の方法。
【請求項８】
複数の事象時間を決定するステップと、前記事象の重要性を推定するステップとに基づいて、前記第１のフィルタ長をさらに提供する、請求項９に記載の方法。
【請求項９】
前記信号の瞬間的な傾きに基づいて、前記第２のフィルタ長をさらに提供する、請求項９に記載の方法。
【請求項１０】
出力が指定された量だけ遅延されるリアルタイムの特性に基づくフィルタリングアルゴリズムをさらに提供する、請求項９に記載の方法。
【請求項１１】
表面プラズモン共鳴センサグラムでのノイズをフィルタリングするための線形フィルタリングシステムであって、
センサグラムを生成するためのＳＰＲ測定装置と、
前記センサグラムを受信するためのプロセッサであって、
前記センサグラムでの出力信号をフィルタリングするために、可変長の線形フィルタを提供し、
前記装置での屈折率の測定の際の、事象の発生の複数のタイミングに基づいて、第１のフィルタ長を決定し、
前記複数の事象間の信号の傾きに基づいて、第２のフィルタ長を決定し、
前記第１のフィルタ長と前記第２のフィルタ長とを比較し、
前記第１のフィルタ長と前記第２のフィルタ長との間で、より短い長さを選択する
ように構成されるプロセッサと
を備える、システム。
【手続補正書】
【提出日】平成25年7月27日(2013.7.27)
【手続補正１】
【補正対象書類名】明細書
【補正対象項目名】０００６
【補正方法】変更
【補正の内容】
【０００６】
この様に、分離分析法を実行する中で、更なる分析または処理のため、前記装置自体の中で前記分離された成分の１若しくはそれ以上を単離または抽出することも可能であることが望ましい。前記回収されたまたは単離された断片は、次に、以下のような様々な異なる処理のために使用することも可能であり、例えば：ポリメラーゼ連鎖反応（ｐｏｌｙｍｅｒａｓｅ  ｃｈａｉｎ  ｒｅａｃｔｉｏｎ：ＰＣＲ）を使用する増幅；化学分析を可能にするのに充分な量の純粋なＤＮＡの生産を可能とするため細菌プラスミド、バクテリオファージ、および小動物ウイルスの中に小サイズ〜中サイズのＤＮＡ鎖のクローンを作る連結反応；高性能配列解読装置を使用するアダプタライゲーション；例えばマトリックス支援レーザー脱離イオン化法（Ｍａｔｒｉｘ−Ａｓｓｉｓｔｅｄ  Ｌａｓｅｒ  Ｄｅｓｏｒｐｔｉｏｎ  Ｉｏｎｉｚａｔｉｏｎ：ＭＡＬＤＩ）を使用して質量分析計によって更に分析するため、適切なマトリックスで分離したタンパク質成分または核酸成分を溶解する反応；更なる分析のため、１若しくはそれ以上の分離したタンパク質成分または核酸成分に標識剤を結合する結合反応；または類似の検知後の処理を含む。さらに、ＰＣＲ試料の場合には、前記試料内の主な核酸断片から比較的小さい二量体分子および十五プライマー分子を分離し、その後前記比較的小さい二量体分子およびプライマー分子を除去およびその後の処分のため廃棄槽／セルに導く間、更に分析または処理するため前記主な核酸断片を単離して収集できることが重要である。
従って、試料物質を異なる試料成分または断片に分離し、その後更に処理または分析するため前記試料成分の１若しくはそれ以上の成分を単離するのに用いられる改良された装置、システム、および方法を提供することは有益である。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００７
【補正方法】変更
【補正の内容】
【０００７】
【特許文献１】  国際公開第０３／０１３７０３号
【特許文献２】  米国特許第６５０６６０９号明細書
【特許文献３】  国際公開第０１／５１９１８号
【特許文献４】  米国特許出願公開第２００３／０４４８３２号明細書
【発明の概要】
【課題を解決するための手段】
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
一次導体内を流れる一次電流ＩPを測定するための測定回路とインダクタとを備える電流変換器であって、前記インダクタは、高透磁性の磁性材によって形成される可飽和磁気コアと、前記磁気コアを交互に飽和させるように構成される交流励磁電流ｉを印加する、前記測定回路の自動発振回路に接続された二次コイルとを備え、
前記測定回路は、小さい一次電流振幅の場合には前記交流励磁電流ｉの平均値を測定し且つそこから前記一次電流の値を求めるように構成され、大電流の場合には前記励磁電流ｉの周波数を計算し且つそこから前記一次電流の値を求めるように更に構成される電流変換器。
【請求項２】
前記測定回路は、バイポーラＤＣ電圧源Ｖcと、一方又は他方の極性に交互に切り替えてこの電圧源を可飽和インダクタに接続する手段と、前記接続手段に影響を与える前記インダクタを流れる電流の閾値を検出する手段と、この電流の平均値を測定する回路と、発振の周波数を測定する回路と、これらの測定値を線形化し合成する手段と、前記一次電流の計算された値を伝達する出力回路とを含む請求項１記載の電流変換器。
【請求項３】
前記電圧源を前記可飽和インダクタに接続する手段及び前記電流の閾値を検出する手段は比較器回路である請求項２記載の電流変換器。
【請求項４】
前記平均値を測定する回路はローパスフィルタとアナログ−デジタル変換器とを備える請求項２又は３記載の電流変換器。
【請求項５】
前記発振の周波数を測定する回路は、前記電圧接続手段のスイッチング期間の間に既知の周波数の周期をカウントすることにより周波数測定を実行するように構成される請求項２〜４のいずれかに記載の電流変換器。
【請求項６】
前記測定値を線形化し合成する手段は、デジタル−アナログ変換器及び／又はデジタルインターフェースを有するシステムである請求項２〜５のいずれかに記載の電流変換器。
【請求項７】
前記測定回路は前記励磁電流を測定する抵抗Ｒmを備える請求項１〜６のいずれかに記載の電流変換器。
【請求項８】
前記可飽和磁気コアは環状で閉じている請求項１〜７のいずれかに記載の電流変換器。
【請求項９】
前記測定回路が接続されるマイクロコントローラを更に含み、
前記マイクロコントローラは数値処理装置に加えて以下のブロック：アナログ−デジタル変換器、電圧基準器、時間（周期）測定用カウンタ、デジタル-アナログ変換器、及びデジタル出力のうちの一つ以上を備える請求項１〜８のいずれかに記載の電流変換器。
【請求項１０】
一次導体内を流れる電流を測定する方法であって、
−自動発振励磁回路を有する測定回路と可飽和磁気コアの周囲に巻かれた二次コイルを備えるインダクタとを含む電流変換器を提供することと、
−前記磁気コアを交互に飽和させるように構成された前記二次コイルに励磁電圧を印加することと、
−小さい一次電流振幅の場合には交流励磁電流ｉの平均値を測定し、そこから一次電流の値を求めることと、
−大きい一次電流振幅の場合には前記インダクタを流れる前記励磁電流を駆動する前記自動発振回路の周波数を測定し、そこから前記一次電流の値を求めることと、
を含む方法。
【請求項１１】
小さい一次電流の場合には前記一次電流の前記測定は前記励磁電流の平均値の計算に基づく請求項１０記載の方法。
【請求項１２】
小電流の場合の前記測定方法は、以下の条件：
2013501931.tif 000001
に従う一次電流の場合に採用され、ここでＩPは一次電流、Ｎは前記二次コイルのターン数、ｉs0は一次電流が０である場合の飽和励磁電流の値である請求項１０又は１１記載の測定方法。
【請求項１３】
値ｉ＝０周辺の転移領域における一次電流の場合、出力値は前記励磁電流の平均値と発振周波数の両方の関数として計算される請求項１０〜１２のいずれかに記載の方法。
【請求項１４】
前記測定回路は、バイポーラＤＣ電圧源Ｖcと、一方又は他方の極性に交互に切り替えてこの電圧源を可飽和インダクタに接続する手段と、前記接続手段に影響を与える前記インダクタを流れる電流の閾値を検出する手段と、この電流の平均値を測定する回路と、発振の周波数を測定する回路と、これらの測定値を線形化し合成する手段と、前記一次電流の計算された値を伝達する出力回路とを含む請求項１０〜１３のいずれかに記載の方法。
【請求項１５】
前記電圧源を前記可飽和インダクタに接続する前記手段及び電流閾値検出器は比較器回路である請求項１４記載の方法。
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
検査の処置においてテストセンサを受容するように構成される小型のメータであって、前記テストセンサが検査の処置において液サンプルを受容し、前記液サンプル中の被分析物の濃度の測定値を判定する測定システムとユーザインタフェースとを含み、約20mm×15mm×5mmよりも大きくない寸法を有する小型のメータと、
前記メータに接続され前記メータからの測定値を受信し及び処理する可搬型の演算処理装置と、を備える、
液サンプル中の被分析物の濃度を判定するためのシステム。
【請求項２】
前記ユーザインタフェースが前記小型のメータの前面の約40％までの面積を有する、請求項１に記載のシステム。
【請求項３】
前記ユーザインタフェースが約0.3mmの幅を有する、請求項１に記載のシステム。
【手続補正書】
【提出日】平成25年8月23日(2013.8.23)
【手続補正１】
【補正対象書類名】特許請求の範囲
【補正対象項目名】請求項１
【補正方法】変更
【補正の内容】
【請求項１】
要素から組立てられる高温格子（１０）の形の改良されたワークピースキャリアであって、該要素は炭素繊維強化炭素複合材ボードストリップであり、該要素は、片側のみに切抜き部分を有するコーム形の要素を含み、該ワークピースキャリアはフレームを有し、該フレームは、フレーム要素を相互に係合することによって提供され、該フレーム要素は水平格子（３０）を囲み、該格子（３０）は、該支持されるワークピースに関して不活性である少なくとも１つのワークピース支持（４０）と同様に該フレーム内で互いに交差する該格子要素を相互に係合することによって提供され、該格子（３０）の上で距離をおいてワークピース支持領域（５０）を提供し、少なくとも１つの該ワークピース支持（４０）は少なくとも１つの該要素の少なくとも１つの囲んでいる切抜き部分内で配置されている、改良されたワークピースキャリアにおいて、
該要素が交互の配置において連動する切抜き部分を有する少なくとも１つの要素、および少なくとも１つの補助要素を含み、該ワークピース支持（４０）は、ロッド形の伸長部分の高温セラミックの単一部分の部品であり、該伸長部分は該格子（３０）の平面に平行に配置され、該ワークピース支持（４０）は、一方で横方向に配置されたそれぞれの連続的な要素によってその端部でも構成された、横方向に配置された該格子要素の多数の切抜き部分によって該ワークピース支持領域（５０）の下で囲まれている該格子（３０）の一体の部品であり、該囲まれた取り外し不可能なワークピース支持（４０）は該格子内で浮くように一体化され、該ワークピースキャリアは少なくとも１つの該補助要素によって組立てられた位置において固定されていて、各々の該コーム形の要素が少なくとも１つの補助孔を有し、該補助要素は該補助孔においてしっかりとぴったりと合って配置され、各々の該補助要素は交互の配置で連動する切抜き部分を有する少なくとも１つの該要素の少なくとも１つの該補助孔でしっかりぴったりと合って配置されることにおいて特徴付けられる、ワークピースキャリア。
【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
スペース内の温度ゾーンをモデル化するための方法であって、装置が、
スペースのグラフィック表示を提供するステップと、
モデル化するために前記スペース内で少なくとも１つのドメインを画定するステップと、
複数のノードを相互接続する離散サブドメインのセットに前記ドメインを細分化することによって、前記ドメイン内にメッシュを作成するステップと、
前記ドメイン内の空気流のソースおよびシンクを識別するステップと、
前記空気流のソースおよびシンクのうちの１つまたは複数から、空気流測定値を取得するステップと、
前記空気流のソースおよびシンクから取得された前記空気流測定値を使用して、それぞれのサブドメインの中心の空気流速度ベクトルを決定するステップと、
各速度ベクトルを前記空気流ソースのうちの１つへとトレースするステップであって、前記空気流ソースのうちの所与の１つへの前記トレースの組み合わせが、前記スペース内の温度ゾーンを表す、前記トレースするステップと
を実行することを含む、前記方法。
【請求項２】
前記スペースが部屋を備えている、請求項１に記載の方法。
【請求項３】
前記部屋が、コンピュータ機器ラックと、前記コンピュータ機器ラックから熱気を取り込み、高床内の複数の穿孔タイルを通って前記コンピュータ機器ラックへ送達される冷却気を下地床プレナム内に排出するように構成された、１つまたは複数のコンピュータ空調ユニットを備えた、高床冷却システムとを備えている、請求項２に記載の方法。
【請求項４】
前記ドメインが前記下地床プレナムの寸法によって画定される、請求項３に記載の方法。
【請求項５】
前記空気流のソースおよびシンクからの前記空気流測定値が、移動測定技術を使用して取得される、請求項１〜４のいずれか一項に記載の方法。
【請求項６】
前記穿孔タイルが空気流シンクを備えており、前記空調ユニットが空気流ソースを備えている、請求項４に記載の方法。
【請求項７】
前記装置が、
前記速度ベクトルのそれぞれを前記空調ユニットのうちの１つへとトレースするステップであって、前記空調ユニットのうちの所与の１つへの前記トレースの組み合わせが前記スペース内の温度ゾーンを表す、前記トレースするステップ
をさらに実行することを含む、請求項６に記載の方法。
【請求項８】
前記装置が、
前記ドメイン内の前記空気流のソースおよびシンクのうちの１つまたは複数での空気流の変化に応答して、前記識別、取得、使用、およびトレースするステップを反復するステップ
をさらに実行することを含む、請求項１〜７のいずれか一項に記載の方法。
【請求項９】
前記装置が、
前記空気流のソースおよびシンクのうちの１つまたは複数が前記ドメインから除去されることに応答して、前記識別、取得、決定、およびトレースするステップを反復するステップ
をさらに実行することを含む、請求項１〜７のいずれか一項に記載の方法。
【請求項１０】
前記装置が、
１つまたは複数の新しい空気流のソースおよびシンクが前記ドメインに追加されることに応答して、前記識別、取得、決定、およびトレースするステップを反復するステップ
をさらに実行することを含む、請求項１〜９のいずれか一項に記載の方法。
【請求項１１】
前記装置が、
各空気流ソースについて冷却能力を決定するステップ
をさらに実行することを含む、請求項１〜１０のいずれか一項に記載の方法。
【請求項１２】
前記装置が、
前記空気流のソースおよびシンクからの前記空気流測定値を更新するために、取得、決定、およびトレースするステップを周期的に反復するステップ
をさらに実行することを含む、請求項１〜１１のいずれか一項に記載の方法。
【請求項１３】
前記トレースするステップが、
前記スペース内の所与の位置を選択するステップと、
前記位置で、前記サブドメインの中心で決定された前記空気流速度ベクトルを参照するステップと、
前記スペース内の次の位置を決定するステップと、
前記次の位置がその所与の空気流ソースの領域内にある場合、前記所与の位置を所与の空気流ソースに割り当てるごとに、前記空気流速度ベクトルを参照するステップ、および、前記スペース全体にわたるｎ個の位置について次の位置を決定するステップを反復するステップと
をさらに含む、請求項１〜１２のいずれか一項に記載の方法。
【請求項１４】
所与の空気流ソースの前記領域内にある位置を有することなく、前記反復するステップが実行される回数に制限を設けるステップをさらに含む、請求項１３に記載の方法。
【請求項１５】
前記次の位置が空気流ソースの前記領域内にない場合は必ず、前記反復するステップが実行された回数が多すぎたかどうかを判別するステップをさらに含む、請求項１４に記載の方法。
【請求項１６】
前記制限に達した場合は必ず、前記所与の位置を前記温度ゾーンに関連付けられていないものとして指定するステップをさらに含む、請求項１４に記載の方法。
【請求項１７】
スペースのグラフィック表示を提供する１又は複数のプログラムであって、装置に、請求項１〜１６のいずれか一項に記載の方法の各ステップを実行させる、前記プログラム。
【請求項１８】
スペース内の温度ゾーンをモデル化するための装置であって、
メモリと、
前記メモリに結合された少なくとも１つのプロセッサ・デバイスであって、
スペースのグラフィック表示を提供すること、
モデル化するために前記スペース内で少なくとも１つのドメインを画定すること、
複数のノードを相互接続する離散サブドメインのセットに前記ドメインを細分化することによって、前記ドメイン内にメッシュを作成すること、
前記ドメイン内の空気流のソースおよびシンクを識別すること、
前記空気流のソースおよびシンクのうちの１つまたは複数から、空気流測定値を取得すること、
前記空気流のソースおよびシンクから取得された前記空気流測定値を使用して、それぞれのサブドメインの中心の空気流速度ベクトルを決定すること、および
各速度ベクトルを前記空気流ソースのうちの１つへとトレースすることであって、前記空気流ソースのうちの所与の１つへの前記トレースの組み合わせが、前記スペース内の温度ゾーンを表す、前記トレースすること、
を動作可能な前記少なくとも１つのプロセッサ・デバイスと
を備えている、前記装置。
【手続補正書】
【提出日】平成25年8月16日(2013.8.16)
【手続補正１】
【補正対象書類名】特許請求の範囲
【補正対象項目名】全文
【補正方法】変更
【補正の内容】
【特許請求の範囲】
【請求項１】
溶融炉への送り出し前に屑金を予熱する予熱装入システムであって、前記システムは、  予熱ステーションを有し、前記予熱ステーションは、
加熱チャンバと、
前記加熱チャンバ内に屑金を導入するスクラップ入口と、
前記加熱チャンバから屑金を排出するスクラップ出口と、
前記屑金を予熱するために高温ガスを前記加熱チャンバ内に導入する入口ポートとを有し、
バーナチャンバを有し、前記バーナチャンバは、
高温排気ガス源から高温排気ガスを受け入れる排気ガス入口ポートと、
前記バーナチャンバ内で前記排気ガス入口ポートの流路中に設けられていて、前記高温排気ガスを補充するよう補充的な熱を要求に応じて前記加熱チャンバに供給するよう構成されたバーナ装置と、
高温ガス出口ポートとを有し、
前記高温ガス出口ポートは、前記屑金を予熱するために高温ガスを前記予熱ステーションに送るために前記予熱ステーションの前記入口ポートと流体連通状態にある、予熱装入システム。
【請求項２】
前記バーナ装置は、前記高温ガス出口ポートの全体的方向に発火するよう位置決めされている、請求項１記載の予熱装入システム。
【請求項３】
前記バーナ装置は、前記バーナチャンバ内への調節可能な侵入度を有する、請求項１又は２に記載の予熱装入システム。
【請求項４】
前記バーナは、水平方向又は垂直方向のうちの少なくとも一方の方向で前記バーナチャンバ内に調節可能に設けられている、請求項１から３のいずれか一項に記載の予熱装入システム。
【請求項５】
屑金溶融炉システムであって、屑金を溶融する溶融炉と、屑金を前記溶融炉に運搬するよう構成されたコンベヤと、前記屑金を予熱するための請求項１から４のいずれか一項に記載の予熱装入システムとを有し、前記コンベヤは、更に、屑金を前記予熱ステーションの前記屑金入口と前記屑金出口との間で搬送するよう構成されている、屑金溶融炉システム。
【請求項６】
前記予熱ステーションの前記屑金出口は、前記溶融炉の屑金取り入れ口に連結されている、請求項５記載の屑金溶融炉システム。
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
記憶デバイスにおいて、ユーザと前記ユーザの友達を関連付けるソーシャルグラフを維持することであって、前記ソーシャルグラフは少なくとも、前記ユーザと前記ユーザの友達との間の社会的関係を定義するパラメータに基づくことと、
前記ユーザの友達によって使用される複数のユーザデバイスから、前記ユーザの友達によって使用される前記複数のユーザデバイスにおいて最近再生されたメディア資産を識別する対話データを受信することと、
前記ユーザの友達によって使用される前記複数のユーザデバイスから、前記ユーザの友達によって使用される前記複数のユーザデバイスにおいて現在再生されているメディア資産を識別する、追加の対話データを受信することと、
前記最近再生されたメディア資産および前記現在再生されているメディア資産からソーシャルグラフプレイリスト用の次のメディア資産を決定することによって、前記ユーザに関連付けられるソーシャルグラフプレイリストを生成することであって、前記次のメディア資産は、前記ユーザが前記次のメディア資産を好む見込みを示す予測評価に基づいて決定され、前記予測評価は、前記ユーザに関連付けられた格納済み対話データと、前記ユーザの友達に関連付けられた追加の格納済みの対話データとの間の類似性から決定されるユーザの類似度に少なくとも部分的に基づいていることと、
前記ユーザに関連付けられたユーザデバイスにおいて再生されるべき前記ソーシャルグラフプレイリスト用の前記次のメディア資産を通信することと
を含むことを特徴とする、コンピュータによって実行される方法。
【請求項２】
前記ユーザに関連付けられた前記ユーザデバイスから前記次のメディア資産の評価を受信することと、
前記評価を前記ユーザに関連付けられた格納済み対話データとともに集めることと
をさらに含むことを特徴とする請求項１に記載のコンピュータによって実行される方法。
【請求項３】
前記最近再生されたメディア資産は、楽曲のデジタル音楽ファイルであることを特徴とする請求項１に記載のコンピュータによって実行される方法。
【請求項４】
前記次のメディア資産が前記ユーザに関連付けられたソーシャルグラフプレイリストにおいて最近再生されたと判定されたとき、前記次のメディア資産の再生を回避することをさら含むことを特徴とする請求項１に記載のコンピュータによって実行される方法。
【請求項５】
プレイリストシステムにおいて、
ユーザと前記ユーザの友達を関連付けるソーシャルグラフであって、少なくとも前記ユーザと前記ユーザの友達との間の社会的関係を定義するパラメータに基づいたソーシャルグラフと、
メモリおよびプロセッサであって、
前記ユーザの前記友達によって使用される複数のユーザデバイスから、前記ユーザの前記友達によって使用される前記複数のユーザデバイスにおいて最近再生されたメディア資産を識別する対話データを受信し、
前記ユーザの友達によって使用される前記複数のユーザデバイスから、前記ユーザの友達によって使用される前記複数のユーザデバイスにおいて現在再生されているメディア資産を識別する、追加の対話データを受信し、
前記最近再生されたメディア資産および前記現在再生されているメディア資産から前記ソーシャルグラフプレイリスト用の次のメディア資産を決定することによって、前記ユーザに関連付けられるソーシャルグラフプレイリストを生成することであって、前記次のメディア資産は、前記ユーザが前記次のメディア資産を好む見込みを示す予測評価に基づいて決定され、前記予測評価は、前記ユーザに関連付けられた格納済み対話データと、前記ユーザの友達に関連付けられた追加の格納済みの対話データとの間の類似性から決定されるユーザの類似度に少なくとも部分的に基づいており、
前記ユーザに関連付けられるユーザデバイスにおいて再生されるべき前記ソーシャルグラフプレイリスト用の前記次のメディア資産の通信を開始する
ソーシャルグラフプレイリストサービスを実装するように構成されたメモリおよびプロセッサと
を備えたことを特徴とするプレイリストシステム。
【請求項６】
前記ソーシャルグラフプレイリストサービスは、さらに、
前記ユーザに関連付けられた前記ユーザデバイスから前記次のメディア資産の評価を受信し、
前記評価を前記ユーザに関連付けられた格納済み対話データとともに集めるように構成されることを特徴とする請求項５に記載のプレイリストシステム。
【請求項７】
前記最近再生されたメディア資産は、楽曲のデジタル音楽ファイルであることを特徴とする請求項５に記載のプレイリストシステム。
【請求項８】
前記ソーシャルグラフプレイリストサービスは、前記次のメディア資産が前記ユーザに関連付けられたソーシャルグラフプレイリストにおいて最近再生されたと判定されたとき、前記次のメディア資産の再生を回避するようにさらに構成されることを特徴とする請求項５に記載のプレイリストシステム。
【請求項９】
コンピューティングデバイスにおいて、
ソーシャルグラフにおいて関連付けられたユーザの友達によって最近再生されたメディア資産を含むソーシャルグラフプレイリストを再生することを選択する、ユーザ選択を受信することであって、前記ソーシャルグラフプレイリストは、前記ユーザの友達によって現在再生されているメディア資産を含むように更新されることと、
前記ソーシャルグラフプレイリストから再生すべき次のメディア資産を受信することであって、前記次のメディア資産は、前記ユーザが前記次のメディア資産を好む見込みを示す予測評価に基づいて、前記ソーシャルグラフプレイリストの前記最近再生されたメディア資産および前記現在再生されているメディア資産から選択され、前記予測評価は、前記ユーザに関連付けられた格納済み対話データと、前記ユーザの友達に関連付けられた追加の格納済みの対話データとの間の類似性から決定されるユーザの類似度に少なくとも部分的に基づいていることと、
前記次のメディア資産を再生することと
を含むことを特徴とする方法。
【請求項１０】
前記ユーザがメディア資産を評価したとき前記次のメディア資産の評価を受信することと、
前記ユーザに関連付けられた格納済み対話データとともに集約されるように、前記評価をサービスレイヤに通信することと
をさらに含むことを特徴とする請求項９に記載の方法。
【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
ディスプレイ装置であって、
第１の基板、
第１の電極、
ディスプレイ材料、
第２の電極、及び
第２の基板、の順序で配置された層を含み、
前記第１の電極及び第２の電極のうちの少なくとも一方が、
第１の透明又は半透明導電層と、
第２の透明又は半透明導電層と、
前記第１の導電層と前記第２の導電層との間に配置された透明又は半透明の介在層と、を含み、
前記介在層が前記第１の導電層と前記第２の導電層との間の導電経路を含む、ディスプレイ装置。
【請求項２】
固体照明要素であって、
第１の基板、
第１の電極、
発光物質、
第２の電極、及び
第２の基板、の順序で配置された層を含み、
前記第１の電極及び第２の電極のうちの少なくとも一方が、
第１の透明又は半透明導電層、
第２の透明又は半透明導電層と、
前記第１の導電層と前記第２の導電層との間に配置された透明又は半透明の介在層と、を含み、
前記介在層が前記第１の導電層と前記第２の導電層との間の導電経路を含む、固体照明要素。
【請求項３】
太陽電池であって、
第１の基板、
第１の電極、
光エネルギーを電気エネルギーに変換するための活性物質、
第２の電極、及び
第２の基板、の順序で配置された層を含み、
前記第１の電極及び第２の電極のうちの少なくとも一方が、
第１の透明又は半透明導電層、
第２の透明又は半透明導電層と、
前記第１の導電層と前記第２の導電層との間に配置された透明又は半透明の介在層と、を含み、
前記介在層が前記第１の導電層と前記第２の導電層との間の導電経路を含む、太陽電池。
【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
視覚クエリを処理する、コンピュータによって実施される方法であって、
１個または複数個のプロセッサ、および前記１個または複数個のプロセッサが実行するための１つまたは複数のプログラムを記憶するメモリを有するサーバシステムにおいて、
クライアントシステムから視覚クエリを受け取るステップであって、前記視覚クエリは、（ｉ）第１のオブジェクトタイプを有する第１のオブジェクトおよび（ｉｉ）前記第１のオブジェクトタイプと異なる第２のオブジェクトタイプを有する第２のオブジェクトを含む、２つ以上のオブジェクトを有し、前記第１のオブジェクトタイプおよび前記第２のオブジェクトタイプは、ＯＣＲ文字、人物の顔、人間以外のサブジェクトおよびバーコードからなる群から選択される、ステップと、
前記視覚クエリを第１の領域および第２の領域を含む２つ以上の領域に分割するステップであって、前記第１の領域は前記第１のオブジェクトを含み、前記第２の領域は前記第２のオブジェクトを含む、ステップと、
（ｉ）前記第１のオブジェクトに応じて生成される結果の第１の組および（ｉｉ）前記第２のオブジェクトに応じて生成される結果の第２の組を含む、視覚クエリ検索結果を同時に得ることによって、前記視覚クエリを処理するステップと、
ユーザに対する同時表示のために（ｉ）前記結果の第１の組および（ｉｉ）前記結果の第２の組をフォーマットするステップと、
検索結果の第１の組または検索結果の第２の組における検索結果の１つ以上のユーザ注釈を得るステップと
を含む、コンピュータによって実施される方法。
【請求項２】
前記視覚クエリが、写真、スクリーンショット、スキャン画像、映像フレームおよび複数の映像フレームからなる群から選択される、請求項１に記載のコンピュータによって実施される方法。
【請求項３】
視覚クエリを処理するための検索エンジンシステムであって、
プログラムを実行するための１個または複数個の中央処理装置と、
前記１個または複数個の中央処理装置が実行するための１つまたは複数のプログラムを記憶するメモリと
を備え、
前記１つまたは複数のプログラムが、
クライアントシステムから視覚クエリを受け取ることであって、前記視覚クエリは（ｉ）第１のオブジェクトタイプを有する第１のオブジェクトおよび（ｉｉ）前記第１のオブジェクトタイプと異なる第２のオブジェクトタイプを有する第２のオブジェクトを含む、２つ以上のオブジェクトを有し、前記第１のオブジェクトタイプおよび前記第２のオブジェクトタイプは、ＯＣＲ文字、人物の顔、人間以外のサブジェクトおよびバーコードからなる群から選択される、ことと、
前記視覚クエリを第１の領域および第２の領域を含む２つ以上の領域に分割することであって、前記第１の領域は前記第１のオブジェクトを含み、前記第２の領域は前記第２のオブジェクトを含む、ことと、
（ｉ）前記第１のオブジェクトに応じて生成される結果の第１の組および（ｉｉ）前記第２のオブジェクトに応じて生成される結果の第２の組を含む、視覚クエリ検索結果を同時に得ることによって、前記視覚クエリを処理することと、
ユーザに対する同時表示のために（ｉ）前記結果の第１の組および（ｉｉ）前記結果の第２の組をフォーマットすることと、
検索結果の第１の組または検索結果の第２の組における検索結果の１つ以上のユーザ注釈を得ることと
を行うための命令を含む、システム。
【請求項４】
前記視覚クエリが、写真、スクリーンショット、スキャン画像、映像フレームおよび複数の映像フレームからなる群から選択される、請求項３に記載のシステム。
【請求項５】
コンピュータが実行するように構成される１つまたは複数のプログラムを記憶する、視覚クエリを処理するための持続性コンピュータ可読記憶媒体であって、前記１つまたは複数のプログラムは、
クライアントシステムから視覚クエリを受け取ることであって、前記視覚クエリは（ｉ）第１のオブジェクトタイプを有する第１のオブジェクトおよび（ｉｉ）前記第１のオブジェクトタイプと異なる第２のオブジェクトタイプを有する第２のオブジェクトを含む、２つ以上のオブジェクトを有し、前記第１のオブジェクトタイプおよび前記第２のオブジェクトタイプは、ＯＣＲ文字、人物の顔、人間以外のサブジェクトおよびバーコードからなる群から選択される、ことと、
前記視覚クエリを第１の領域および第２の領域を含む２つ以上の領域に分割することであって、前記第１の領域は前記第１のオブジェクトを含み、前記第２の領域は前記第２のオブジェクトを含む、ことと、
（ｉ）前記第１のオブジェクトに応じて生成される結果の第１の組および（ｉｉ）前記第２のオブジェクトに応じて生成される結果の第２の組を含む、視覚クエリ検索結果を同時に得ることによって、前記視覚クエリを処理することと、
ユーザに対する同時表示のために（ｉ）前記結果の第１の組および（ｉｉ）前記結果の第２の組をフォーマットすることと、
検索結果の第１の組または検索結果の第２の組における検索結果の１つ以上のユーザ注釈を得ることと
を行うための命令を含む、コンピュータ可読記憶媒体。
【請求項６】
前記視覚クエリが、写真、スクリーンショット、スキャン画像、映像フレームおよび複数の映像フレームからなる群から選択される、請求項５に記載のコンピュータ可読記憶媒体。